(57)【要約】【課題】コネクタボディと、該コネクタボディの内側に少なくとも部分的に配置されている電気的なコンタクトと、該コンタクトの接触接続部に電気的な線路を供給するための線路進出開口部とを備えた電気的なコネクタを改良して、接触接続パートナ同士の相対運動を抑止するかまたは少なくとも減少させるようにする。【解決手段】電気的な線路（８）とコンタクト（５）との間の相対運動を減少させるために、線路位置固定手段（２，９）が、コネクタボディ（４）の線路進出開口部側の端部に直接設けられているようにした。【選択図】図１
2007157713.tif 000002
【特許請求の範囲】
【請求項１】
電気的なコネクタ（１）であって、該コネクタに、コネクタボディ（４）と、該コネクタボディ（４）の内側に少なくとも部分的に配置されている電気的なコンタクト（５）と、該コンタクト（５）の接触接続部に電気的な線路（８）を供給するための線路進出開口部（７）とが設けられている形式のものにおいて、
電気的な線路（８）とコンタクト（５）との間の相対運動を減少させるために、線路位置固定手段（２，９）が、コネクタボディ（４）の線路進出開口部側の端部に直接設けられていることを特徴とする電気的なコネクタ。
【請求項２】
コネクタ（１）が、車両のケーブルハーネスコネクタとして形成されている、請求項１記載の電気的なコネクタ。
【請求項３】
線路位置固定手段が、線路進出開口部側の端部に被嵌される端部クリップ（２）により形成されている、請求項１または２記載の電的なコネクタ。
【請求項４】
端部クリップ（２）が、少なくとも１つの折込み部（１１）を有しており、該折込み部（１１）が、電気的な線路（８）を取り囲む、弾性的な材料から成る単心線シール部材（９）に前記端部クリップ（２）が軸線方向の圧力を加えるように線路進出開口部（７）に係合する、請求項３記載の電気的なコネクタ。
【請求項５】
端部クリップ（２）が、線路進出開口部（７）内に配置された電気的な線路（８）に半径方向の圧力を加えるために形成された少なくとも１つのプレスリブ（１３）を有している、請求項３または４記載の電気的なコネクタ。
【請求項６】
線路位置固定手段が、電気的な線路（８）を取り囲む、弾性的な材料から成る単心線シール部材（９）により形成されており、該単心線シール部材（９）が、内側に該単心線シール部材（９）よりも硬い材料から成る環状部材（１４）を有している、請求項１または２記載の電気的なコネクタ。
【請求項７】
単心線シール部材（９）と線路用構成要素（１４）とが共にワンピースに形成されている、請求項６記載の電気的なコネクタ。
【発明の詳細な説明】
【技術分野】
【０００１】
本発明は、電気的なコネクタであって、該コネクタに、コネクタボディと、有利には、該コネクタボディの内側に少なくとも部分的に配置されている電気的なコンタクトと、このコンタクトの接触接続部に電気的な線路を供給するための線路進出開口部とが設けられている形式のものに関する。
【背景技術】
【０００２】
このような形式のコネクタは、一般的にたとえば自動車のケーブルハーネスのケーブルハーネスコネクタとして差込み接続部において使用される。
【０００３】
差込み接続部から出ている電気的な線路は、差込み接続部の外側においてある程度の、たとえば１００ｍｍの線路長さで、線路クリップにより別の構成エレメントに位置固定される。特別な事例では、線路はケーブル結合部材によってもケーブルハーネスコネクタに位置固定される。
【０００４】
差込み接続部の接触接続個所にまで伝搬する抑制されない線路運動は、接触接続パートナ同士の相対運動へとつながり、ひいては磨耗が高められる。公知の線路位置固定ではこの過程を避けることはできない。接触接続パートナ同士の相対運動を抑止するかまたは少なくとも減少させるように線路を位置固定する端部クリップまたは特殊な単心線シール部材もしくはストッパは公知ではない。
【発明の開示】
【発明が解決しようとする課題】
【０００５】
したがって、本発明の課題は、冒頭で述べた形式の電気的なコネクタを改良して、接触接続パートナ同士の相対運動を抑止するかまたは少なくとも減少させるようにすることである。
【課題を解決するための手段】
【０００６】
この課題を解決するために本発明の構成では、電気線路とコンタクトとの間の相対運動を減少させるために、線路位置固定手段が、コネクタボディの線路進出開口部側の端部に直接設けられているようにした。
【発明の効果】
【０００７】
本発明のコネクタを差込み接続部において使用すると、線路運動により引き起こされかつ磨耗の原因となる、接触接続個所における接触接続パートナ間の相対運動は最低限に抑えられる。このことは、ケーブルハーネスコネクタの線路出口に線路を直接位置固定することにより達成される。その結果として、差込み接続部のより高い機械的な負荷耐性またはより長い耐用年数が得られる。
【０００８】
本発明の対象のさらなる利点および有利な構成は、以下の説明、図面および請求項から明らかである。
【発明を実施するための最良の形態】
【０００９】
以下に、本発明を実施するための最良の形態を図面につき詳細に説明する。
【００１０】
図１には、ケーブルハーネスコネクタとして形成された、本発明による端部クリップ２を備えた電気的なコネクタ１が示されている。この電気的なコネクタ１は、コネクタボディ４と、有利には、コネクタボディ４の内側に少なくとも部分的に配置されている電気的なコンタクト５と、このコンタクト５の接触接続部に電気的な線路８を供給するための線路進出開口部７とを有している。本発明によれば、コンタクト５と接触接続パートナとの間の相対運動を減少させるための線路位置固定手段が、コネクタボディ４の、線路進出開口部側の端部に直接設けられている。線路位置固定手段としては、たとえばプラスチックから製作されていてかつコネクタボディ４に係止する端部クリップ２が使用される。端部クリップ２は、コネクタボディ４の線路進出開口部側の端部に被嵌されている。コネクタボディ４の内側には、たとえばゴムのような弾性的な材料から成る単心線シール部材９が設けられている。この単心線シール部材９は円筒形のシール部材として線路８を取り囲んでいる。端部クリップ２は、この端部クリップ２が単心線シール部材９に圧力を加えるように線路進出開口部７に係合する折込み部１１を有している。つまり、図面では矢印で示した力Ｆが単心線シール部材９に加えられる。本発明の核心は、線路位置固定手段により線路を位置固定することである。端部クリップ２に対して択一的に、付加的な弾性ストッパまたは特殊な単心線シール部材により線路位置固定を実現することができる。線路位置固定により、コンタクト５の接触接続個所において接触接続パートナ同士の間に接触接続パートナに対する相対運動を引き起こす線路運動が著しく減じられる。
【００１１】
すなわち、図１に示した本発明によるコネクタ１における、線路８を位置固定するための作用原理は、端部クリップ２が単心線シール部材９を押圧し、これにより単心線シール部材９が、この単心線シール部材９に圧力が作用しない空間方向に向かって拡張することに基づいている。単心線シール部材９の拡張は、ケーブルハーネスコネクタのコネクタボディ４とコンタクト５の圧着部１２、すなわち線路８がコンタクト５と一緒に締め付けられている緊締個所とにより阻止される。これにより線路８への圧力は高められ、ひいては線路８が位置固定される。この線路位置固定により線路８の運動は吸収される。これにより、接触接続個所における接触接続パートナ同士の相対運動は減少し、磨耗が著しく減じられる。この作用原理は、たとえばクリーンボディコンタクト、ランスコンタクト、単心線シールシステム、マットシール、不密なコンタクトシステム等の、全てのコンタクトシステムおよびシールシステムに転用することができる。
【００１２】
図２には、ケーブルハーネスコネクタとして形成された、図１の形態とは別の形態の端部クリップ２を備えた本発明による別の電気的なコネクタ１が示されている。端部クリップ２は、線路進出開口部７内に配置された電気的な線路８に圧力を加えるために形成された複数のプレスリブ１３を有している。つまり、線路位置固定は端部クリップ２の力Ｆを電気的な線路８に直接加えることによって達成される。端部クリップ２のプレスリブ１３は、互いにずらされて配置されていてもよい。
【００１３】
つまり、図２に示した本発明による別のコネクタ１における線路位置固定のための作用原理は、端部クリップ２が線路８を押圧し、これにより線路８が位置固定されることに基づいている。この線路位置固定により線路８の運動は吸収される。これにより、接触接続個所における接触接続パートナ同士の相対運動は減少し、磨耗が著しく減じられる。この作用原理も、全てのコンタクトシステムおよびシールシステムに転用することができる。
【００１４】
図３には、ケーブルハーネスコネクタとして形成された、本発明による単心線シール部材９の線路用構成要素１４を備えたコネクタ１が示されている。線路用構成要素１４は単心線シール部材９の線路進出開口部側の端部に設けられていて、この構成では、線路用構成要素１４はコネクタボディ４の内側に配置された環状部材として形成されておりかつ残りの単心線シール部材よりも硬い材料から製造されている。つまり、単心線シール部材９は少なくとも２つの部分から構成されていて、この場合、一方の部分はシール用構成要素として、もう一方の部分は線路用構成要素１４として作用する。
【００１５】
つまり、図３に示した本発明によるコネクタ１における線路位置固定のための作用原理は、単心線シール部材９が２つの異なる硬さの構成要素から成っていることに基づいている。公知のシール用構成要素に線路用構成要素１４が付加されている。線路用構成要素１４はシール用構成要素よりも著しく硬く、線路８をケーブルハーネスコネクタ内に位置固定する役割を担っている。この線路位置固定により線路８の運動は吸収され、これにより、接触接続個所における接触接続パートナ同士の相対運動は減少し、磨耗が著しく減じられる。この作用原理も、全てのコンタクトシステムおよびシールシステムに転用することができる。線路用構成要素１４とシール用構成要素とは、２つの個別部材として、またはワンピースに構成されていてもよい。
【００１６】
コネクタボディ４と、このコネクタボディ４の内側に少なくとも部分的に配置されている電気的なコンタクト５と、コンタクト５の接触接続部に電気的な線路８を供給するための線路進出開口部７とを備えた、しかも、コンタクト５と接触接続パートナとの間の相対運動を減少させるための線路位置固定手段２，１４が、コネクタボディ４の線路進出開口部側の端部に直接設けられている、電気的なコネクタ１を提案する。
【図面の簡単な説明】
【００１７】
【図１】端部クリップを備えた、本発明による電気的なコネクタの第１の実施例を示した図である。
【図２】端部クリップを備えた、本発明による電気的なコネクタの第２の実施例を示した図である。
【図３】単心線シール部材の線路用構成要素を備えた、本発明による電気的なコネクタの第３の実施例を示した図である。
【符号の説明】
【００１８】
１  電気的なコネクタ、  ２  端部クリップ、  ４  コネクタボディ、  ５  コンタクト、  ７  線路進出開口部、  ８  電気的な線路、  ９  単心線シール部材、  １１  折込み部、  １２  圧着部、  １３  プレスリブ、  １４  線路用構成要素、  Ｆ  力
【図１】
2007157713.tif 000003
【図２】
2007157713.tif 000004
【図３】
2007157713.tif 000005